(57)【特許請求の範囲】
【請求項１】
それぞれ基側に指掛け部を有する第１、第２の鋏部材を中央で回動可能に連結した鋏において、
前記第１の鋏部材の指掛け部が環状指掛け部となって、該環状指掛け部に裾部が連接される半球状、円錐台状、又はスプーン掬い部形状の親指掛け部を設けていることを特徴とする鋏。
【請求項２】
請求項１記載の鋏において、前記親指掛け部の深さは４〜１０ｍｍの範囲にあることを特徴とする鋏。
【請求項３】
請求項１又は２記載の鋏において、前記親指掛け部の周囲は、前記環状指掛け部に一体的に連接されていることを特徴とする鋏。
【請求項４】
請求項１又は２記載の鋏において、前記親指掛け部の周囲は、前記環状指掛け部に取外し可能に連結されていることを特徴とする鋏。
【発明の詳細な説明】
【技術分野】
【０００１】
本発明は、例えば理美容師（理容師及び美容師をいう）が業務で使用でき、又は理美容師以外の者が紙や布を裁断する場合にも使用できる鋏に関する。
【背景技術】
【０００２】
従来の理美容用の鋏は、動刃を有する第１の鋏部材と、静止刃を有する第２の鋏部材をねじによって取外し可能、回動自在に連結し、第１、第２の鋏部材の基部にはそれぞれ親指及び薬指を入れる環状指掛け部を有していた。この理美容用の鋏は、通常、第１の鋏部材の環状指掛け部に親指を入れ、第２の鋏部材の環状指掛け部に薬指を入れて、髪切り作業を行っていた。そのため、第２の鋏部材の環状指掛け部と薬指と中指を用いて鋏を保持可能であるが、第１の鋏部材の環状指掛け部と挿入した親指との間には隙間があるので親指が環状指掛け部内で動いていた。更に、理美容師は手に保持した理美容用の鋏の傾きを種々に変化させて髪を切るので親指の操作距離が長くなり、薬指、中指及び人指し指で理美容用の鋏全体を支えるので、各指に掛かる負担が大きいという問題があった。
【０００３】
そこで、特許文献１には、親指を入れる環状親指掛け部の一部を取り除き略Ｕ字状の指掛け部としたものが提案されている。
また、特許文献２には、弾性手段（コイルバネ）によって常時刃部を開くように付勢し、中指又は薬指が挿通する円形の指掛け環は残した状態で、親指が挿通する指掛け環を無くし、親指宛面を形成した理美容用鋏が提案されている。
【先行技術文献】
【特許文献】
【０００４】
【特許文献１】特公平３−８２２３号公報
【特許文献２】特許第４２４９９６８号公報
【発明の概要】
【発明が解決しようとする課題】
【０００５】
しかしながら、特許文献１記載の理美容用鋏において、親指を用いて鋏刃部を開こうとする場合、力の掛かりが悪くなり、長時間使用しずらいという問題があった。
また、特許文献２記載の理美容用鋏においては、常時弾性手段によって、鋏刃部を開く方向に付勢しているので、この付勢力に対抗して鋏部材を操作する必要があり、長時間使用すると疲れるという問題があった。
【０００６】
本発明はかかる事情に鑑みてなされたもので、開閉が容易で、長時間使用が可能となる理美容用又はその他の用途にも使用できる鋏を提供することを目的とする。
【課題を解決するための手段】
【０００７】
前記目的に沿う本発明に係る鋏は、それぞれ基側に指掛け部を有する第１、第２の鋏部材を中央で回動可能に連結した鋏において、
前記第１の鋏部材の指掛け部が環状指掛け部となって、該環状指掛け部に裾部が連接される半球状、円錐台状（円錐状を含む）、又はスプーン掬い部形状の親指掛け部を設けている。ここで、半球状は、完全に半球となっているものの他、部分球状となっているもの、更に平面視した円の直交する径の長さが異なるもの（短径、長径）であっても窪み内部に親指の先側が嵌入すれば、適用される。
【０００８】
本発明に係る鋏において、前記親指掛け部の深さは４〜１０ｍｍの範囲にあるのが好ましい。
【０００９】
本発明に係る鋏において、前記親指掛け部の周囲は、前記環状指掛け部に一体的に連接されているのが好ましい。
【００１０】
そして、本発明に係る鋏において、前記親指掛け部の周囲は、前記環状指掛け部に取外し可能に連結されている場合もある。
【発明の効果】
【００１１】
本発明に係る鋏は、基側に指掛け部を有する第１、第２の鋏部材が中央で回動可能に連結し、第１の鋏部材の指掛け部を環状に形成し、この環状指掛け部に裾部が連接される半球状、円錐台状、又はスプーン掬い部形状の親指掛け部を設けているので、以下の効果がある。
【００１２】
従来の鋏において、親指の先部のみを第１の鋏部材の環状指掛け部に入れて第１の鋏部材を操作すると、環状指掛け部と親指との間に隙間があるので、第１、第２の鋏部材の閉時（髪の切断時）と第１、第２の鋏部材の開時とで親指と環状指掛け部の当接位置（作用点）が異なり、親指に無駄な動きを生じることになるが、この発明の場合、親指の先が嵌入する親指掛け部の窪みは奥が幅狭となっているので、第１、第２の鋏部材の開閉時に親指の無駄な動きがなく、長時間作業をしても疲れ難い。
【００１３】
また、親指掛け部は奥側が徐々に狭くなるので、親指の大きさが異なっても、親指の位置が変わることなく、親指が第１の鋏部材の環状指掛け部に当たることになり、異なる理美容師もこの鋏を共通に使用できる。
【００１４】
更に、初心者が従来の鋏を使用すると、第１の鋏部材の環状指掛け部に親指を根元の部分まで垂直又は斜めに挿入する傾向があるが、本発明に係る鋏においては、環状指掛け部は親指掛け部が設けられて貫通はしていないので、親指の操作位置も決まり、初心者であっても疲れ難い鋏作業ができる。
【００１５】
なお、作業効率の良くない持ち方をしている初心者やベテランにも、この鋏の使用で、作業効率の悪い鋏の持ち方が矯正されて、鋏が切れ易く、指が疲れにくい理想的な持ち方になって、作業効率が上がる。
【図面の簡単な説明】
【００１６】
【図１】（Ａ）は本発明の一実施の形態に係る鋏の正面図、（Ｂ）は同側面図、（Ｃ）は図１（Ａ）における矢視Ｐ−Ｐ’断面図、（Ｄ）は図１（Ａ）における矢視Ｑ−Ｑ’断面図である。
【図２】（Ａ）は同背面図、（Ｂ）は同側面図である。
【図３】同鋏の使用状態の説明図である。
【図４】同鋏の使用状態の説明図である。
【発明を実施するための形態】
【００１７】
続いて、添付した図面を参照して本発明を具体化した実施の形態について説明する。
図１（Ａ）〜（Ｄ）、図２（Ａ）、（Ｂ）に示すように、本発明の一実施の形態に係る鋏１０は、それぞれ硬質のステンレス材又は特殊鋼からなって、刃部１１、１２が一方（先側）に、他方（基側）に指掛け部の一例である環状指掛け部１３、１４を有する第１、第２の鋏部材１５、１６を、中間部に設けられた小孔を貫通するボルト及びナットの組み合わせからなるねじ１７によって回動可能に連結して構成される。
そして、第１の鋏部材１５の環状指掛け部１３には、環状指掛け部１３に裾部が連接される親指掛け部１９が設けられている。
【００１８】
親指掛け部１９は、半球状、円錐台状、又はスプーン掬い部形状となって、奥側が狭くなって、その深さｄは３〜１５ｍｍ（好ましくは、４〜１０ｍｍ）となっている。これにより、作業者の親指２３（図３参照）が親指掛け部１９内に円滑に嵌入し、更に嵌入した親指２３は周囲との隙間がなく、親指掛け部１９の入り側内径は通常の鋏と同様、長円形となっている。なお、親指掛け部１９の肉厚は１〜２ｍｍとなっている。
【００１９】
親指掛け部１９の窪みの向きは、図１（Ａ）に示すように、第２の鋏部材１６の環状指掛け部１４を右に、第１の鋏部材１５の環状指掛け部１３を左にして、奥側（即ち、紙面に垂直下側）となっている。
なお、図３、図４は鋏１０を背面側から見た使用状態の説明図であり、親指掛け部１９は図３、図４において手前（表側）に突出している。この実施の形態に係る鋏１０は右利き用で説明したが、左利き用の場合は、親指掛け部の窪みの向きが逆になることは当然である。
【００２０】
この鋏１０の親指掛け部１９は図１においては、周囲の環状指掛け部１３にその縁部が一体的に連接されている。この場合、親指掛け部１９を第１の鋏部材１５とは別に製造して、環状指掛け部１３に溶接又は鑞付けしてもよいし、環状指掛け部１３の内側に内板を設け、プレス加工等によって成形してもよい。
【００２１】
また、場合によって、親指掛け部を周囲の環状指掛け部に取外し可能に配置してもよい。この場合、親指掛け部の周囲を断面Ｕ字状に折り返し、この折り返し部分を環状指掛け部に引っ掛けて固定することになる。親指掛け部を除けば従来の鋏となるので、好みに応じて形状の異なる親指掛け部を取り付けて、鋏を使用できる。
【００２２】
第１、第２の鋏部材１５、１６は、親指掛け部１９の部分を除いて通常の鋏と同じで、第２の鋏部材１６の刃部１２が固定刃（静止刃）となり、第１の鋏部材１５の刃部１１が可動刃となり、固定刃に対して可動刃が交差して、対象物（髪の毛）を剪断力によって切断する。
また、第１、第２の鋏部材１５、１６の環状指掛け部１３、１４は略同一平面にあるので、可動刃を固定刃に対して円滑に動作できる。
【００２３】
この鋏（理美容用の鋏）１０の使用方法を、図３及び図４を参照しながら説明する。まず、薬指２０を第２の鋏部材１６の環状指掛け部１４に第１関節まで入れ中指２１及び人指し指２２を用いて、第２の鋏部材１６を保持する。なお、第２の鋏部材１６については、薬指２０及び中指２１を環状指掛け部１４に入れてもよい。この状態で親指２３の先部を親指掛け部１９に入れる。親指掛け部１９の窪みの深さは一定であるので、親指２３の挿入位置は一定となる。
【００２４】
次に、刃部（固定刃）１２の上に切断しようとする髪を載せて、親指２３を上げて（即ち、第２の鋏部材１６の環状指掛け部１４側に近づけて）、刃部（可動刃）１１を刃部１２と交差させるようにして、図４に示すように刃部１１、１２を閉じて髪を切断する。
この後、直ちに親指２３を下げて、図３に示すように、刃部１１、１２を開くことになるが、親指２３は親指掛け部１９の窪み内で保持されるので、親指２３の動きに第１の鋏部材１５は直動する。従って、親指２３の動きに無駄がないので、理美容作業が疲れないという利点がある。
【００２５】
本発明は前記した実施の形態に限定されるものではなく、本発明の要旨を変更しない範囲でその構成を変更することもできる。例えば、以上の実施の形態においては、第２の鋏部材に環状指掛け部を設けたが、環状指掛け部は必須の要件ではなく、第２の鋏部材を薬指、中指、人指し指を用いて固定できる構造（指掛け部）であればよい。
また、本発明は具体的数字を用いて説明したが、要旨を変更しない範囲で数値限定を外すことができる。
更には、本発明に係る鋏は、理美容師が理美容用の鋏として使用する場合の他、一般の人が文具等の通常の鋏として使用する場合も本発明は適用される。
【符号の説明】
【００２６】
１０：鋏、１１、１２：刃部、１３、１４：環状指掛け部、１５：第１の鋏部材、１６：第２の鋏部材、１７：ねじ、１９：親指掛け部、２０：薬指、２１：中指、２２：人指し指、２３：親指
【図１】
0006722504.tif 000002
【図２】
0006722504.tif 000003
【図３】
0006722504.tif 000004
【図４】
0006722504.tif 000005